(57)【要約】【課題】  スマートアンテナの導入効果を簡単に把握することができるテレビジョン受信システム、チューナおよびテレビジョン受信方法の提供を課題とする。【解決手段】  本発明において、スマートアンテナユニット１０によって受信可能なチャンネル数Ｂを、他のアンテナによって受信可能なチャンネル数Ａと比較表示することにより、通常であれば他のアンテナよりもスマートアンテナユニット１０の受信状態が良好であることを認識することができる。すなわち、スマートアンテナユニット１０の導入効果を簡単に認識することができる。また、逆にスマートアンテナユニット１０によって受信可能なチャンネル数Ｂが、他のアンテナによって受信可能なチャンネル数Ａ以下である場合には、スマートアンテナユニット１０の設置位置が適正でないことを認識することができる。【選択図】  図６
2005354616.tif 000002
【特許請求の範囲】
【請求項１】
複数の可変指向方向を有するスマートアンテナと、
同スマートアンテナの同指向方向を切り換えるアンテナコントロール部と、同スマートアンテナにて受信した周波信号から所望の周波数成分を抽出するチューナ部と、同チューナ部にて抽出された周波信号から映像信号を生成する再生部とを備えるチューナとからなるテレビジョン受信システムにおいて、
上記チューナは、
少なくとも上記スマートアンテナが含まれる複数のアンテナをそれぞれ上記チューナ部に接続させるアンテナ接続手段と、
上記アンテナ接続手段にて接続された複数の上記アンテナ毎に、上記チューナ部が抽出する周波数帯域をシフトさせつつ、同抽出された周波数成分に含まれる周波信号をスキャンすることにより受信可能なチャンネルを検出するチャンネル検出手段と、
上記チャネル検出手段により検出された複数の上記アンテナ毎の受信可能なチャンネル数についての比較結果を使用者に伝達するとともに、上記スマートアンテナについて検出された受信可能なチャンネル数が、他の上記アンテナについて検出された受信可能なチャンネル数よりも少ないとき、使用者に上記スマートアンテナの位置変更を促す旨を伝達する伝達手段とを具備することを特徴とするテレビジョン受信システム。
【請求項２】
複数の可変指向方向を有するスマートアンテナと、
同スマートアンテナの同指向方向を切り換えるアンテナコントロール部と、同スマートアンテナにて受信した周波信号から所望の周波数成分を抽出するチューナ部と、同チューナ部にて抽出された周波信号から映像信号を生成する再生部とを備えるチューナとからなるテレビジョン受信システムにおいて、
上記チューナは、
少なくとも上記スマートアンテナが含まれる複数のアンテナをそれぞれ上記チューナ部に接続させるアンテナ接続手段と、
上記アンテナ接続手段にて接続された複数の上記アンテナ毎に、上記チューナ部が抽出する周波数帯域をシフトさせつつ、同抽出された周波数成分に含まれる周波信号をスキャンすることにより受信可能なチャンネルを検出するチャンネル検出手段と、
上記チャネル検出手段により検出された複数の上記アンテナ毎の受信可能なチャンネル数についての比較結果を使用者に伝達する伝達手段とを具備することを特徴とするテレビジョン受信システム。
【請求項３】
上記伝達手段は、上記スマートアンテナについて検出された受信可能なチャンネル数が、他のアンテナについて検出された受信可能なチャンネル数よりも少ないとき、使用者に上記比較結果とともに上記スマートアンテナの位置変更を促す旨を伝達することを特徴とする請求項２に記載のテレビジョン受信システム。
【請求項４】
上記アンテナ接続手段は少なくとも上記スマートアンテナと八木アンテナを上記チューナ部に接続させることを特徴とする請求項２または請求項３のいずれかに記載のテレビジョン受信システム。
【請求項５】
複数の可変指向方向を有するスマートアンテナの同指向方向を切り換えるアンテナコントロール部と、同スマートアンテナにて受信した周波信号から所望の周波数成分を抽出するチューナ部と、同チューナ部にて抽出された周波信号から映像信号を生成する再生部とを具備するチューナにおいて、
少なくとも上記スマートアンテナが含まれる複数のアンテナをそれぞれ上記チューナ部に接続させるアンテナ接続手段と、
上記アンテナ接続手段にて接続された複数の上記アンテナ毎に、上記チューナ部が抽出する周波数帯域をシフトさせつつ、同抽出された周波数成分に含まれる周波信号をスキャンすることにより受信可能なチャンネルを検出するチャンネル検出手段と、
上記チャネル検出手段により検出された複数の上記アンテナ毎の受信可能なチャンネル数についての比較結果を使用者に伝達する伝達手段とを具備することを特徴とするチューナ。
【請求項６】
複数の可変指向方向を有するスマートアンテナと、同スマートアンテナにおける同指向方向を切り換えるアンテナコントロール部と、同スマートアンテナにて受信した周波信号から所望の周波数成分を抽出するチューナ部と、同チューナ部にて抽出された周波信号から映像信号を生成する再生部とを用いて行うテレビジョン受信方法において、
少なくとも上記スマートアンテナが含まれる複数のアンテナをそれぞれ上記チューナ部に接続させるアンテナ接続工程と、
上記アンテナ接続工程にて接続された複数の上記アンテナ毎に、上記チューナ部が抽出する周波数帯域をシフトさせつつ、同抽出された周波数成分に含まれる周波信号をスキャンすることにより受信可能なチャンネルを検出するチャンネル検出工程と、
上記チャネル検出工程により検出された複数の上記アンテナ毎の受信可能なチャンネル数についての比較結果を使用者に伝達するとともに、上記スマートアンテナについて検出された受信可能なチャンネル数が、他のアンテナについて検出された受信可能なチャンネル数よりも少ないとき、使用者に上記スマートアンテナの位置変更を促す旨を伝達する伝達工程とを具備することを特徴とするテレビジョン受信方法。
【発明の詳細な説明】
【技術分野】
【０００１】
本発明は、テレビジョン受信システム、チューナおよびテレビジョン受信方法に関する。
【背景技術】
【０００２】
従来、この種のテレビジョン受信システムとして、アンテナから入力される信号レベルが低下したときに、使用者にその旨を通知するものが知られている（例えば、特許文献１、参照。）。
かかるテレビジョン受信システムによれば、使用者はアンテナから入力される信号レベルが低下したことを認識することができ、使用者は良好な受信状態となるようにアンテナを調整することが可能であった。
【特許文献１】特開２０００−１０２００１号公報
【発明の開示】
【発明が解決しようとする課題】
【０００３】
しかしながら、上述したテレビジョン受信システムにおいて、同一のアンテナについての受信レベルの優劣を判断することは可能であるものの、異なるアンテナ間で受信レベルの優劣を判断することができないという課題があった。
近年、指向方向を制御可能なスマートアンテナが開発され、このスマートアンテナが家庭においても導入されつつある。スマートアンテナを導入するにあたっては、従来から使用してきた八木アンテナ等よりもスマートアンテナを使用した方が受信状態が向上することが期待される。すなわち、八木アンテナ等によって受信可能であったチャンネル数よりも多くのチャンネル数が、新たに導入したスマートアンテナによって受信できることが期待されている。しかしながら、スマートアンテナがこのような期待を満足するかどうかを、使用者は判断することができなかった。
【０００４】
本発明は、上記課題にかんがみてなされたもので、スマートアンテナの導入効果を簡単に把握することができるテレビジョン受信システム、チューナおよびテレビジョン受信方法を提供することを目的とする。
【課題を解決するための手段】
【０００５】
上記目的を達成するため、請求項１の発明は、複数の可変指向方向を有するスマートアンテナと、同スマートアンテナの同指向方向を切り換えるアンテナコントロール部と、同スマートアンテナにて受信した周波信号から所望の周波数成分を抽出するチューナ部と、同チューナ部にて抽出された周波信号から映像信号を生成する再生部とを備えるチューナとからなるテレビジョン受信システムにおいて、
上記チューナは、少なくとも上記スマートアンテナが含まれる複数のアンテナをそれぞれ上記チューナ部に接続させるアンテナ接続手段と、上記アンテナ接続手段にて接続された複数の上記アンテナ毎に、上記チューナ部が抽出する周波数帯域をシフトさせつつ、同抽出された周波数成分に含まれる周波信号をスキャンすることにより受信可能なチャンネルを検出するチャンネル検出手段と、上記チャネル検出手段により検出された複数の上記アンテナ毎の受信可能なチャンネル数についての比較結果を使用者に伝達するとともに、上記スマートアンテナについて検出された受信可能なチャンネル数が、他の上記アンテナについて検出された受信可能なチャンネル数よりも少ないとき、使用者に上記スマートアンテナの位置変更を促す旨を伝達する伝達手段とを具備する構成としてある。
【０００６】
上記のように構成した請求項１の発明は、スマートアンテナには複数の可変指向方向が設けられる。アンテナコントロール部は複数の上記指向方向のうち上記スマートアンテナに設定するものを切り換える。チューナ部は上記スマートアンテナにて受信した周波信号から所望の周波数成分を抽出し、再生部は同チューナ部にて抽出された周波信号から映像信号を生成する。
【０００７】
アンテナ接続手段は、少なくとも上記スマートアンテナが含まれる複数のアンテナをそれぞれ上記チューナ部に接続させることができる。チャンネル検出手段は、上記アンテナ接続手段にて接続された複数の上記アンテナ毎に、上記チューナ部が抽出する周波数帯域をシフトさせつつ、同抽出された周波数成分に含まれる周波信号をスキャンすることにより受信可能なチャンネルを検出する。伝達手段は、上記チャネル検出手段により検出された複数の上記アンテナ毎の受信可能なチャンネル数を比較し、この比較結果を使用者に伝達する。そして、上記伝達手段は、上記スマートアンテナについて検出された受信可能なチャンネル数が、他の上記アンテナについて検出された受信可能なチャンネル数よりも少ない場合には、使用者に上記スマートアンテナの位置変更を促す旨を伝達する。
【０００８】
ここで、本発明のテレビジョン受信システムの構成要素は単独の機器に備えられるものであっても良いし、他の機器に備えられるものであっても良い。例えば、テレビジョン受信システムボックス等のセットトップボックスに単独で本発明の構成要素を備えさせても良いし、テレビジョンやビデオ等に本発明の構成要素を複合的に備えさせても良い。
【０００９】
また、請求項２にかかる発明は、複数の可変指向方向を有するスマートアンテナと、同スマートアンテナの同指向方向を切り換えるアンテナコントロール部と、同スマートアンテナにて受信した周波信号から所望の周波数成分を抽出するチューナ部と、同チューナ部にて抽出された周波信号から映像信号を生成する再生部とを備えるチューナとからなるテレビジョン受信システムにおいて、
上記チューナは、少なくとも上記スマートアンテナが含まれる複数のアンテナをそれぞれ上記チューナ部に接続させるアンテナ接続手段と、上記アンテナ接続手段にて接続された複数の上記アンテナ毎に、上記チューナ部が抽出する周波数帯域をシフトさせつつ、同抽出された周波数成分に含まれる周波信号をスキャンすることにより受信可能なチャンネルを検出するチャンネル検出手段と、上記チャネル検出手段により検出された複数の上記アンテナ毎の受信可能なチャンネル数についての比較結果を使用者に伝達する伝達手段とを具備する構成としてある。
【００１０】
上記のように構成した請求項２の発明は、スマートアンテナには複数の可変指向方向が設けられる。アンテナコントロール部は複数の上記指向方向のうち上記スマートアンテナに設定するものを切り換える。チューナ部は上記スマートアンテナにて受信した周波信号から所望の周波数成分を抽出し、再生部は同チューナ部にて抽出された周波信号から映像信号を生成する。
【００１１】
アンテナ接続手段は、少なくとも上記スマートアンテナが含まれる複数のアンテナをそれぞれ上記チューナ部に接続させることができる。チャンネル検出手段は、上記アンテナ接続手段にて接続された複数の上記アンテナ毎に、上記チューナ部が抽出する周波数帯域をシフトさせつつ、同抽出された周波数成分に含まれる周波信号をスキャンすることにより受信可能なチャンネルを検出する。伝達手段は、上記チャネル検出手段により検出された複数の上記アンテナ毎の受信可能なチャンネル数を比較し、この比較結果を使用者に伝達する。
【００１２】
さらに、請求項３にかかる発明は、上記伝達手段は、上記スマートアンテナについて検出された受信可能なチャンネル数が、他のアンテナについて検出された受信可能なチャンネル数よりも少ないとき、使用者に上記比較結果とともに上記スマートアンテナの位置変更を促す旨を伝達する構成としてある。
【００１３】
上記のように構成した請求項３の発明は、上記伝達手段は、上記スマートアンテナについて検出された受信可能なチャンネル数が、他の上記アンテナについて検出された受信可能なチャンネル数よりも少ない場合には、使用者に上記スマートアンテナの位置変更を促す旨を伝達する。
【００１４】
また、請求項４にかかる発明は、上記アンテナ接続手段は少なくとも上記スマートアンテナと八木アンテナを上記チューナ部に接続させる構成としてある。
上記のように構成した請求項４の発明は、少なくとも上記スマートアンテナと八木アンテナとが上記アンテナ接続手段によって上記チューナ部に接続される。すなわち、上記スマートアンテナと上記八木アンテナのそれぞれによって受信可能なチャンネル数を比較することができる。
【００１５】
上述したようなスマートアンテナを用いて放送電波を受信する手法は必ずしも実体のある装置に限られるものではなく、請求項６に記載した発明のように方法の発明としても有効である。また、上述したテレビジョン受信システムは単独で存在する場合もあるし、ある機器に組み込まれた状態で利用されることもあるなど、発明の思想としては、各種の態様を含むものである。例えば、請求項５のようにチューナとしても本発明を実現することが可能である。また、ソフトウェアであったりハードウェアであったりするなど、適宜、変更可能である。
【発明の効果】
【００１６】
以上説明したように、請求項１、請求項２、請求項５および請求項６にかかる発明によれば、スマートアンテナの導入効果を簡単に把握することができるテレビジョン受信システム、チューナおよびテレビジョン受信方法を提供することができる。
請求項３にかかる発明によれば、他のアンテナよりもスマートアンテナの受信状態が悪い場合に、スマートアンテナの設置位置の変更を促すことができる。
請求項４にかかる発明によれば、従来より使用されてきたアンテナとスマートアンテナとの比較を行うことができる。
【発明を実施するための最良の形態】
【００１７】
以下、下記の順序に従って本発明の実施形態を説明する。
（１）テレビジョン受信システムの構成：
（２）スマートアンテナ設置作業：
（３）変形例：
（４）まとめ：
【００１８】
図１は、本発明にかかるテレビジョン受信システムの概略構成を示している。同図において、テレビジョン３０が備えられており、同テレビジョン３０と図示しないケーブルで接続された略矩形箱状のコントロールユニット２０が備えられている。コントロールユニット２０はいわゆるセットトップボックスであり、テレビジョン３０と接続可能な限り任意の位置に設置することができる。コントロールユニット２０には、スマートアンテナユニット１０にて受信された放送電波が入力される同軸ケーブル１６ａと、スマートアンテナユニット１０を制御するための信号を伝達するコントロールケーブル１６ｂとが接続されている。
【００１９】
スマートアンテナユニット１０は床面に安定して設置するための脚部１７を有しており、同脚部から略円柱状の柱部１８が略鉛直に立設している。同柱部１８の上端には略円盤状のアンテナ保持部１９が保持されている。アンテナ保持部１９は略水平とされており、その側面からは４本の棒状指向性アンテナ１１，１１，１１，１１が外側に向かって放射状に突出している。互いに隣接する指向性アンテナ１１同士がなす角度はそれぞれ９０度とされているため、指向性アンテナ１１，１１，１１，１１はアンテナ保持部１９の側面の円周方向に均等に配設されていることとなる。また、指向性アンテナ１１，１１，１１，１１は、それぞれ伸長可能であり使用者が適宜引き出して使用することが可能となっている。
【００２０】
指向性アンテナ１１，１１，１１，１１はそれぞれ独立して放送電波を受信することが可能であり、それぞれ軸方向外側の方向に対して受信感度が高いものとなっている。すなわち、それぞれ軸方向外側の方向に対して受信感度が高い４本の指向性アンテナ１１，１１，１１，１１をアンテナ保持部１９の周方向に均等に配置することにより、全方向に対して受信感度が良好なアンテナを構成することができる。かかる構成により、地上波のテレビジョン放送電波がスマートアンテナユニット１０のいずれの方向から発信されたとしても、いずれかの指向性アンテナ１１，１１，１１，１１にて放送電波を受信することができる。すなわち、スマートアンテナユニット１０が受信可能な放送電波の方向に指向性をなくすことができるため、より多くの放送局から発信されるテレビジョン放送電波を受信することができ、より多くのチャンネルを楽しむことが可能となる。
【００２１】
ただし、常時、全方向から放送電波を受信可能とすると、所望の放送局から発信される放送電波以外の方向から発信されるノイズ電波も受信してしまうこととなるため、受像するチャンネルに応じて受信可能とする指向方向を限定するような制御を行うものとしている。また、各指向性アンテナ１１，１１，１１，１１からの入力される位相量をそれぞれ制御し、合成することにより、細かい指向方向の切換を行っている。以下、スマートアンテナユニット１０の内部構成について説明する。
【００２２】
図２は、スマートアンテナユニット１０の内部構成を概念的に示している。同図において、４本の指向性アンテナ１１，１１，１１，１１がそれぞれ位相器１２，１２，１２，１２と接続されている。位相器１２，１２，１２，１２は指向性アンテナ１１，１１，１１，１１から入力される信号の位相量をそれぞれ制御することができる回路であり、コントロールユニット２０から出力されるバイアス電圧に応じて位相を遅らすことが可能となっている。位相器１２，１２，１２，１２にて位相量が制御された信号は合成器１４に入力され、同合成器１４にて合成される。合成器１４にて合成された信号はブースター回路１３に入力され、増幅される。
【００２３】
このように、４本の指向性アンテナ１１，１１，１１，１１から入力された信号の位相を可変させつつ合成させることにより、４本の指向性アンテナ１１，１１，１１，１１が軸方向のみならず任意の方向に指向性を持つようにすることができる。すなわち、各位相器１２，１２，１２，１２の位相量を適当な値に設定することにより、スマートアンテナユニット１０により形成される主ビームの方向を任意の方向とすることができる。
【００２４】
図３は、コントロールユニット２０の内部構成を概念的に示している。同図において、コントロールユニット２０は、スマートアンテナユニット１０における各位相器１２，１２，１２，１２の位相量を制御するアンテナコントロール部２１と、スマートアンテナユニット１０から周波信号を入力するチューナ部２２とを備えている。コントロールユニット２０はＣＰＵ２８ａの指令にしたがってスマートアンテナユニット１０に設定する指向方向を切り換えるための信号を生成する。具体的には、各位相器１２，１２，１２，１２に出力するバイアス電圧を可変させることにより、スマートアンテナユニット１０における指向方向を可変させている。コントロールユニット２０は各位相器１２，１２，１２，１２に出力するバイアス電圧の組み合わせを記憶させるための図示しないＲＯＭを備えている。このバイアス電圧の組み合わせは１６パターン記憶されており、コントロールユニット２０はＣＰＵ２８ａの指令にしたがっていずれかのパターンを各位相器１２，１２，１２，１２に出力する。
【００２５】
すなわち、以上の構成によりスマートアンテナユニット１０は１６とおりの指向方向を実現することが可能となる。図４は、上記１６パターンに対応する指向方向を表している。同図において、アンテナ保持部１９を中心として放射状に均一な１６方位の指向方向を設定することが可能となっている。すなわち、隣接し合う指向方向の角度差は３６０／１６＝２２．５度で、均等となっている。このように、アンテナ保持部１９を中心として均等に指向方向を設定することにより、いずれの方向から入射する放送電波にも追従することができる。なお、紙面上方の指向方向をＤ１とし、時計回りにＤ２，Ｄ３，Ｄ４・・・Ｄ１６と識別するものと定義する。
【００２６】
図３に示すチューナ部２２は、いわゆるシンセサイザ方式のテレビジョン受信システムの構成とされ、選局制御信号としてＰＬＬデータ、すなわち、ＰＬＬループにおける可変分周回路の分周比のデータがチューナ部２２に与えられる。また、チューナ部２２では、ＣＰＵ２８ａからの選局制御信号としてのＰＬＬデータを受けて、入力された周波信号から所望の周波数帯域の周波信号を抽出することにより、複数のチャンネルの中から一つのチャンネルを選択する。ＣＰＵ２８ａはチューナ部２２における周波数のずれを検出し、この検出結果に基づいてＡＦＴ電圧をチューナ部２２に供給する。そして、チューナ部２２がＡＦＴ電圧に応じて、抽出する周波数帯域を補正することにより、最適な選局が行われるようになっている。
【００２７】
チューナ部２２の出力は、デジタル再生部２３とアナログ再生部２４のいずれかに供給される。すなわち、本実施形態にかかるコントロールユニット２０は、デジタル放送とアナログ放送の双方を再生することが可能となっている。デジタル再生部２３は、デジタルＩ／Ｆ２３ａと復調回路２３ｂとデスクランブル部２３ｃとデマルチプレックス部２３ｄとＭＰＥＧデコーダ２３ｇとから構成されている。チューナ部２２から周波信号が入力されるデジタルＩ／Ｆ２３ａにはＡ／Ｄコンバータが備えられており、このデジタルＩ／Ｆ２３ａから信号の供給を受ける復調部には、チャンネルイコライザ、エラー訂正デコード部等も備えられている。
【００２８】
すなわち、デジタルＩ／Ｆ２３ａと復調回路２３ｂは、チューナ部２２から入力される周波信号をデジタル信号に変換するとともに、ＣＰＵ２８ａからの制御情報に基づいてデジタル復調した信号に対していわゆるゴーストキャンセルを行う。さらに、デジタルＩ／Ｆ２３ａと復調回路２３ｂは、伝送路上で発生したビット誤りを訂正し、トランスポートストリーム（ＴＳ）出力を得る。なお、以上の処理において復調回路２３ｂは、全体のデータに対する上記ビット誤りの割合をエラーレートとして検出している。
【００２９】
また、復調回路２３ｂにて復調およびエラー訂正処理を行うことにより得られたトランスポートストリームはデスクランブル部２３ｃに供給される。トランスポートストリームは、通常、スクランブルがかかっているため、このままでは適正に映像・音声を再生することはできない。そこで、デスクランブル部２３ｃがトランスポートストリームに対してデ・スクランブル処理を行うことにより、トランスポートストリームを再生可能なデータ配列に復元する。デ・スクランブル処理が行われたトランスポートストリームは、映像信号や音声信号や文字情報等が多重化された形式となっており、デマルチプレックス部２３ｄに供給される。デマルチプレックス部２３ｄでは入力されたデータに対してデ・マルチプレックス処理を行う。すなわち、ここで多重化が解除される。なお、デスクランブル部２３ｃとデマルチプレックス部２３ｄとはそれぞれの処理を行う際にワークエリアとしてＤＲＡＭ２３ｅを利用することが可能である。
【００３０】
デ・マルチプレックス処理にて多重化が解除されると、映像信号および音声信号が所定の方式により圧縮されたＭＰＥＧデータと、例えば番組に関する文字情報といった映像信号や音声信号以外のデータに分離され、後者のデータはＣＰＵ２８ａに供給される。また、所定の周波数帯において複数のチャンネルのＭＰＥＧデータが多重化されて搬送される場合においては、これらについても多重化が解除される。前者のＭＰＥＧデータはＭＰＥＧデコーダ２３ｇに供給され、同ＭＰＥＧデコーダ２３ｇにて圧縮解凍処理、つまりＭＰＥＧデコード処理が行われる。ＭＰＥＧデータをＭＰＥＧデコード処理することにより、デジタル映像信号とデジタル音声信号とが生成され、同生成されたデジタル映像信号はさらにアナログの映像信号に変換される。
【００３１】
ＭＰＥＧデコーダ２３ｇはＯＳＤ処理部２３ｈを備えており、映像に所定の静止画面を重ねて表示したり、所定の静止画像を差し替えて表示するなどの処理も行うことができるようにされている。ＯＳＤ処理部２３ｈは受信された文字情報等のデータをＣＰＵ２８ａから入力し、同文字情報等のデータに基づいて静止画像等を生成することが可能となっている。
【００３２】
なお、ＭＰＥＧデコーダ２３ｇはＭＰＥＧデコード処理やＯＳＤ処理を行う際にワークエリアとしてＤＲＡＭ２３ｆを利用することが可能である。このように、ＭＰＥＧデコーダ２３ｇは圧縮解凍処理を実行可能であるとともに、ＯＳＤ処理部２３ｈにてグラフィックス処理を実行可能になっている。そして、圧縮解凍・アナログ変換された映像信号は映像出力部２６に供給され、同映像出力部２６にて同映像信号がテレビジョン３０に出力される。テレビジョン３０に対してアナログ映像信号を出力する方式としては、コンポジット出力やＳーＶｉｄｅｏ出力等の各種方式を採用することができる。
【００３３】
一方、ＭＰＥＧデコード処理により生成された音声信号は、Ｄ／Ａ変換部２５に入力され、同Ｄ／Ａ変換部２５にてアナログ音声信号に変換される。このアナログ音声信号は音声出力部２７に入力され、同音声出力部２７からテレビジョン３０に出力される。ただし、テレビジョン３０がオプティカル入力端子等を備え、デジタル音声信号を受け付けることができれば、Ｄ／Ａ変換部２５を介することなくデジタル音声信号をそのままテレビジョン３０に出力させても良い。
【００３４】
一方、アナログ再生部２４は、アナログＩ／Ｆ２４ａと復調回路２４ｂとＮＴＳＣデコーダ２４ｄと音声デコーダ２４ｅとから構成されている。アナログＩ／Ｆ２４ａと復調回路２４ｂは、チューナ部２２から入力される中間周波信号を増幅させるＡＧＣ回路２４ｂ１を備えている。ＡＧＣ回路２４ｂ１における中間周波信号の増幅率はＡＧＣ電圧により規定されており、同ＡＧＣ電圧は同ＡＧＣ回路２４ｂ１にて増幅された中間周波信号の振幅レベルに応じて変動する。すなわち、ＡＧＣ回路２４ｂ１はＡＧＣ電圧をフィードバック信号として中間周波信号を増幅させている。
【００３５】
具体的に、増幅された中間周波信号が強い場合には増幅率を低下させるべくＡＧＣ電圧を低下させ、増幅された中間周波信号が弱い場合には増幅率を増加させるべくＡＧＣ電圧を増加させる。すなわち、本実施形態においてＡＧＣ電圧が高いほどチューナ部２２から入力される中間周波信号が弱いと言える。これにより、増幅された中間周波信号の振幅レベルをほぼ一定とすることができるため、各チャンネル間で再現される色に違いがないようにすることができる。また、ＡＧＣ電圧は増幅された中間周波信号を所定の基準電圧と比較することにより生成されているため、増幅後の中間周波信号の振幅レベルは理想的な値を維持することができる。ＡＧＣ電圧はＣＰＵ２８ａに出力されており、同出力されたＡＧＣ電圧に基づいてＣＰＵ２８ａが各種制御を実行させる。
【００３６】
復調回路２４ｂは復調した中間周波信号を分離することにより、ＮＴＳＣ形式のアナログ映像信号とアナログ音声信号とを生成する。同生成されたアナログ映像信号はＮＴＳＣデコーダ２４ｄに入力され、同ＮＴＳＣデコーダ２４ｄにてＣＣＩＲ６５６形式のデジタル映像信号に変換される。なお、ＮＴＳＣ形式はアナログテレビジョン信号の標準形式であり、色を再現するための信号と１５．７５ｋＨｚの水平同期信号と６０Ｈｚの垂直同期信号等が含まれる。復調回路２４ｂには水平同期信号と垂直同期信号とを抽出するための同期分離回路２４ｂ２が備えられている。そして、ＮＴＳＣデコーダ２４ｄは、この同期分離回路２４ｂ２が抽出した水平同期信号と垂直同期信号に基づいて同期の取れたデジタル映像信号を生成することが可能となっている。なお、ＣＣＩＲ６５６形式はＹＵＶの各要素がデジタル階調で表現されるデジタル映像信号の形式である。一方、復調回路２４ｂにて分離されたアナログ音声信号は音声デコーダ２４ｅに供給され、同音声デコーダ２４ｅにて左右独立したステレオ音声信号に分離される。
【００３７】
ＮＴＳＣデコーダ２４ｄにて生成されたデジタル映像信号は、ＭＰＥＧデコーダ２３ｇに入力され、上述と同様にＯＳＤ処理やアナログ変換が行われる。そして、アナログ変換された映像信号は映像出力部２６に供給され、同映像出力部２６からテレビジョン３０に出力される。一方、音声信号が音声出力部２７に入力され、同音声出力部２７からテレビジョン３０に出力される。
【００３８】
上述したＣＰＵ２８ａはバス２９に接続されており、バス２９に接続されたＲＡＭ２８ｂをワークエリアとしながら、当該コントロールユニット２０の各種機能を実現するための制御処理を実行する。この制御処理を実行するプログラムは、予めＲＯＭ２８ｃに格納されており、ＣＰＵ２８ａは、適宜ＲＯＭ２８ｃから所定のプログラムをＲＡＭ２８ｂに読み込みつつ制御処理を実行することになる。また、バス２９には書き換え可能な不揮発性メモリであるＥＥＰＲＯＭ２８ｄが備えられており、ＣＰＵ２８ａはＥＥＰＲＯＭ２８ｄに記憶された各種データを使用して制御処理を実行する。
【００３９】
ＥＥＰＲＯＭ２８ｄに記憶されるデータの一例として、選局データ２８ｄ１が記憶されている。図５は、この選局データ２８ｄ１の一例を示している。選局データ２８ｄ１は、リモコン送信機４０等にて指定可能なチャンネル番号と、チューナ部２２にて抽出を行う周波数帯域と、受信に好適な指向方向Ｄ１〜Ｄ１６とが対応づけられたテーブルであり、ＣＰＵ２８ａが同テーブルを参照することにより指定されたチャンネル番号に対応した周波数帯域と受信に使用する指向方向Ｄ１〜Ｄ１６を特定することが可能となっている。なお、本実施形態においてチューナ部２２はシンセサイザ方式を採用しているため、チャンネル番号と分周比のデータとの対応関係が選局データ２８ｄ１として記憶されている。
【００４０】
このような選局データ２８ｄ１として、予め最適な組み合わせを記憶しておくことにより、最適な条件で各チャンネルを受像することができる。チャンネル番号毎に放送電波の発信局が異なり、スマートアンテナユニット１０に対してチャンネル番号毎に異なる方向から放送電波が入射することが考えられる。従って、チャンネル番号に応じて放送電波の入射方向が合致する指向方向Ｄ１〜Ｄ１６を予め設定しておくことは、良好な受信品質を確保するために重要である。最適な指向方向Ｄ１〜Ｄ１６を特定する情報は、ＣＰＵ２８ａを通じてアンテナコントロール部２１に供給され、これに基づいて各位相器１２，１２，１２，１２にバイアス電圧が出力される。ここで、最適な指向方向Ｄ１〜Ｄ１６とは、原則的に受像するチャンネル番号に対応する放送電波の放送局が存在する方向と一致する指向方向Ｄ１〜Ｄ１６である。すなわち、放送局が存在する方向と一致する方向の指向方向Ｄ１〜Ｄ１６を設定することにより、強い放送電波を受信すること可能となるとともに、他方向からのノイズ電波の影響を受けにくくすることができる。
【００４１】
また、ＥＥＰＲＯＭ２８ｄにはＯＳＤ処理部２３ｈにてＯＳＤ画像を生成するためのＯＳＤデータ２８ｄ２が記憶されている。ＣＰＵ２８ａはリモコン送信機４０からの指令や各回路の動作状況等に応じて、適宜、ＯＳＤデータ２８ｄ２を読み出して、ＯＳＤ処理部２３ｈにＯＳＤデータ２８ｄ２を供給する。例えば、ＣＰＵ２８ａが使用者に対して警告が必要であると判断すると、警告画面が生成可能なＯＳＤデータ２８ｄ２を読み出して、ＯＳＤ処理部２３ｈに警告画面を映像に組み込むよう指令する。また、ＥＥＰＲＯＭ２８ｄにはスマートアンテナユニット１０の設置位置を特定するための住所情報が格納された住所データ等が記憶されている。このようなデータは、リモコンＩ／Ｆ２８ｅやバスＩ／Ｆ２８ｆやＩＣカードＩ／Ｆ２８ｇやＬＡＮＩ／Ｆ２８ｈを介して入力され、ＥＥＰＲＯＭ２８ｄに記憶される。
【００４２】
バス２９にはリモコン送信機Ｉ／Ｆ２８ｅが接続されており、外部機器としてのリモコン送信機４０から出力される赤外線明滅信号を入力可能になっている。この赤外線明滅信号はバス２９を介してＣＰＵ２８ａに送出され、ＣＰＵ２８ａは対応する制御処理を実行する。また、バス２９には外部機器とケーブルを介して接続するためのバスＩ／Ｆ２８ｆと、ＩＣカードとデータを授受するためのＩＣカードＩ／Ｆ２８ｇとＬＡＮ規格に準拠した外部機器と通信を行うためのＬＡＮＩ／Ｆ２８ｈが接続されている。バスＩ／Ｆ２８ｆおよびＩＣカードＩ／Ｆ２８ｇから読み取った情報は、バス２９を介してＣＰＵ２８ａに送出され、ＣＰＵ２８ａにて所定の処理が行われる。
【００４３】
（２）スマートアンテナ設置作業：
図６は、スマートアンテナ設置作業の流れを示している。本発明におけるスマートアンテナ設置作業は、新たにスマートアンテナユニット１０を導入する際に行われる作業である。同図において、まずステップＳ１００にてスマートアンテナユニット１０ではないアンテナが接続されているかどうかを確認する。通常のアンテナは受信した放送電波を伝達する同軸ケーブルのみによってコントロールユニット２０と接続されるが、スマートアンテナ１０は図１に示すように同軸ケーブル１６ａとコントロールケーブル１６ｂの双方によってコントロールユニット２０と接続される。
【００４４】
本実施形態においては、コントロールユニット２０におけるアンテナ入力端子に同軸ケーブルが接続されていることによりアンテナが接続されていることを認識し、さらにコントロールケーブル１６ｂが接続されていることによりスマートアンテナユニット１０が接続されていることを認識している。従って、同軸ケーブルが接続され、かつ、コントロールケーブル１６ｂが接続されていないことをもって、スマートアンテナユニット１０以外のアンテナが接続されていることを認識することが可能となっている。なお、コントロールユニット２０に接続されたアンテナを識別する手段は、以上のものに限られるものではない。例えば、使用者から接続しているアンテナの入力を受け付けるようにしても良い。
【００４５】
本実施形態において、コントロールユニット２０に対してスマートアンテナユニット１０と異なるアンテナが接続されているものとし、具体的にはテレビジョン受信アンテナとして一般的な八木アンテナが接続されているものする。八木アンテナは周知の通り複数の直線状の金属体を平行に配列したアンテナであり、一般に建物の屋根の上に設置される。また、八木アンテナにて受信した放送電波はブースターにより増幅されつつ同軸ケーブルにより室内に導入される。図１に示すように室内にはこの同軸ケーブルと室内用の同軸ケーブルとを電気的に接続するためのコネクタジャック１６ａ２が配設されており、同コネクタジャックを利用して屋外の八木アンテナと室内のコントロールユニット２０とを破線で示す同軸ケーブル１６ａ１によって接続することができる。なお、新たにスマートアンテナユニット１０を導入する家庭においても、従来から八木アンテナによってテレビジョンの受信していた可能性が高く、ほとんどの家庭においてスマートアンテナユニット１０以外に八木アンテナが接続できる環境にあると言える。
【００４６】
ステップＳ１００にて八木アンテナが接続されていることが認識できると、ステップＳ１１０にてオートスキャンを実行する。一方、ステップＳ１００にてスマートアンテナユニット１０以外のアンテナが接続されていないことを確認するとステップＳ１０５にて”スマートアンテナとは異なるアンテナを接続して下さい”という画像をテレビジョン３０の受像器に表示させる。具体的には、この画像を表示させるためのＯＳＤデータ２８ｄ２が予めＥＥＰＲＯＭ２８ｄに記憶されており、ＯＳＤ処理部２３ｈが同ＯＳＤデータ２８ｄ２を画像データに組み込むことにより、同画像が出力される。なお、ＯＳＤデータ２８ｄ２はＲＯＭ２８ｃに記憶されていても良い。
【００４７】
一方、ステップＳ１１０にて実行するオートスキャンは、チューナ部２２が抽出する周波信号の周波数を全域にわたってシフトさせていく。全域にわたってシフトさせれば良く、周波数を徐々に増減させても良いし、ランダムに周波数をシフトさせても良い。そして、各周波数において所定の条件を満たす信号が検出されない場合には、当該周波数においては受信可能なチャンネルがないと判断される。一方、各周波数において所定の条件を満たす信号が検出される場合には、当該周波数において受信可能なチャンネルが存在すると判断する。このような判断を全周波数領域において行うことにより、全周波数領域において受信可能なチャンネルが判明する。
【００４８】
むろん、受信可能なチャンネルをカウントすることにより、検出された受信可能なチャンネル数（以下、チャンネル数Ａと表記するものとする。）を取得することができる。そして、ステップＳ１１５では、取得されたチャンネル数ＡをＲＡＭ２８ｂあるいはＥＥＰＲＯＭ２８ｄに記憶する。なお、各周波数において受信可能なチャンネルが存在すると判断するための上記所定の条件は種々のものを採用することができる。例えば、アナログチャンネルのスキャンにおいては信号強度やＡＧＣ電圧や同期信号の有無等を上記所定の条件として採用することができる。一方、デジタルチャンネルのスキャンにおいては信号強度やＡＧＣ電圧やエラーレート等を上記所定の条件として採用することができる。
【００４９】
ステップＳ１２０では、”スマートアンテナを接続して下さい”と表された画像をテレビジョン３０の受像器に表示させる。ここでも、この画像を表示させるためのＯＳＤデータ２８ｄ２が予めＥＥＰＲＯＭ２８ｄに記憶されており、ＯＳＤ処理部２３ｈが同ＯＳＤデータ２８ｄ２を画像データに組み込むことにより、同画像が出力される。そして、ステップＳ１２５においてはスマートアンテナユニット１０がコントロールユニット２０に接続されているかが判断される。
【００５０】
すなわち、コントロールユニット２０に対して同軸ケーブル１６ａおよびコントロールケーブル１６ｂの双方が接続されているかどうかを判断し、双方が接続されていればスマートアンテナユニット１０が接続されていると判断する。ここで、スマートアンテナユニット１０が接続されていない場合には、再びステップＳ１２０においてスマートアンテナユニット１０を接続するように使用者に通知する。一方、スマートアンテナユニット１０が接続されている場合には、ステップＳ１３０にてオートスキャンを実行する。
【００５１】
ステップＳ１３０において行うオートスキャンは、チューナ部２２が抽出する周波信号の周波数を全域にわたってシフトさせていく。その際に各周波数においてスマートアンテナユニット１０の指向方向Ｄ１〜Ｄ１６を順に切り換えて行く。そして、各周波数において全指向方向Ｄ１〜Ｄ１６で所定の条件を満たす信号が検出されない場合には、当該周波数においては受信可能なチャンネルがないと判断される。一方、各周波数においていずれかの指向方向Ｄ１〜Ｄ１６で所定の条件を満たす信号が検出される場合には、当該周波数において受信可能なチャンネルが存在すると判断する。このような判断を全周波数領域において行うことにより、全周波数領域において受信可能なチャンネルを特定することができる。むろん、受信可能なチャンネルをカウントすることにより、検出された受信可能なチャンネル数（以下、チャンネル数Ｂと表記するものとする。）を取得することができる。
【００５２】
そして、受信可能であると特定された周波数において最も理想的な信号強度となる指向方向Ｄ１〜Ｄ１６を当該周波数のチャンネルを受信するための最も好適な指向方向Ｄ１〜Ｄ１６であると特定する。ステップＳ１３５では、ステップＳ１３０のオートスキャンスキャンにて検出された受信可能なチャンネルと、当該チャンネルを受信するにあたりチューナ部２２が抽出を行う周波数と、当該チャンネルを受信するにあたりアンテナコントロール部２１が切り換える指向方向Ｄ１〜Ｄ１６との対応関係を選局データ２８ｄ１に更新記憶させる。これにより、現在において最も良好な受信状態を実現できる選局データ２８ｄ１を記憶することができ、以降は選局データ２８ｄ１を使用して各チャンネルの選局を行うことが可能となる。
【００５３】
ステップＳ１４０では、ＲＡＭ２８ｂおよびＥＥＰＲＯＭ２８ｄに記憶されたチャンネル数Ａ，Ｂを比較する。そして、スマートアンテナユニット１０についてのオートスキャン（ステップＳ１３０）によって検出されたチャンネル数Ｂがチャンネル数Ａよりも大きい場合には、ステップＳ１４５にてチャンネル数Ａ，Ｂを比較した比較結果を画像としてテレビジョン３０の受像器に表示させる。具体的には、この画像を表示させるためのＯＳＤデータ２８ｄ２が予めＥＥＰＲＯＭ２８ｄに記憶されており、ＯＳＤ処理部２３ｈが同ＯＳＤデータ２８ｄ２を画像データに組み込むことにより、同画像が出力される。
【００５４】
また、チャンネル数Ａ，Ｂの比較結果は必ずしも映像によって伝達する必要はなく、音声によって伝達するようにしても良い。チャンネル数Ａ，Ｂの比較結果は、少なくともチャンネル数Ａ，Ｂが表示されていれば良く、必ずしもチャンネル数Ａ，Ｂの大小関係が表示されていなくても良い。チャンネル数Ａ，Ｂのみならず、チャンネル数Ａ，Ｂについて具体的なチャンネル番号や周波数等を一覧化して比較表示させるようにしても良い。ステップ１４５においては、スマートアンテナユニット１０によって受信可能なチャンネル数Ｂが、これまで使用してきた八木アンテナによって受信可能であったチャンネル数Ａよりも多いことを確認することができるため、使用者はスマートアンテナユニット１０の現在の受信状態が良好であることを認識することができる。すなわち、スマートアンテナユニット１０の導入効果を数値として認識することができる。
【００５５】
一方、ステップＳ１４０にて、チャンネル数Ｂがチャンネル数Ａ以下である場合には、ステップＳ１５０にて上述したものと同様の比較結果をテレビジョン３０の受像器に表示させる。ただし、ここでは検出されたチャンネル数Ｂがチャンネル数Ａよりも小さいことが使用者によって認識されることとなる。従って、使用者は新たにスマートアンテナユニット１０を導入したにも拘わらず受信状態が向上していないと認識することができる。スマートアンテナユニット１０は室内に設置されるため設置位置の周囲の状況によって受信状態が大きく劣化することがある。従って、スマートアンテナユニット１０についてのチャンネル数Ｂが、八木アンテナについてのチャンネル数Ａ以下である場合、スマートアンテナユニット１０の設置位置が適正でない場合が多い。そこで、ステップＳ１５０では上述した比較結果を表示するとともに、”スマートアンテナを移動させて下さい”というメッセージを表示させている。
【００５６】
このようにすることにより、使用者はスマートアンテナユニット１０の現状の設置位置が適正でないと認識し、スマートアンテナユニット１０の設置位置の変更することとなる。むろん、スマートアンテナユニット１０の設置位置の変更を促されても使用者が検出されたチャンネル数Ｂに満足しているのであれば、使用者はスマートアンテナユニット１０を移動させることはない。この場合、ステップＳ１５５にてスマートアンテナユニット１０の移動が確認されず、そのまま作業が終了する。すなわち、以降はステップＳ１３５において記憶した選局データ２８ｄ１を使用して各チャンネルの選局を行うこととなる。
【００５７】
なお、ステップＳ１５５においてスマートアンテナユニット１０が移動されたかどうかを確認するにあたっては、移動後に使用者からリモコン送信機４０等に対してされる所定の入力を受け付けるようにすれば良い（位置変更確認手段）。ステップＳ１５５において、スマートアンテナユニット１０の移動が確認された場合には、再びステップＳ１３０にてスマートアンテナユニット１０についてのオートスキャンを実行させる。すなわち、新たなスマートアンテナユニット１０の設置位置にて受信可能なチャンネルを検出する。ステップＳ１３０〜Ｓ１４０を繰り返すことにより、受信に好適な位置にスマートアンテナユニット１０が設置されるまで、位置変更を繰り返し行わせることができる。
【００５８】
（３）変形例：
以上においては、本発明のチューナの機能を実現するコントロールユニット２０とテレビジョン３０とが別装置とされているが、テレビジョン３０がスマートアンテナユニット１０を直接コントロールするようにすることも可能である。図７は、そのための構成を示している。同図において、コントロールユニット２０に備えられていた各種回路はテレビジョン１３０に備えられており、映像信号と音声信号はテレビジョン１３０に備えられるモニタおよびスピーカにそれぞれ出力されている。なお、モニタとして液晶パネルやプラズマパネル等のデジタル表示素子を適用する場合には、デジタル映像信号のままモニタに出力することが可能である。
【００５９】
（４）まとめ：
以上説明したように、本発明において、スマートアンテナユニット１０によって受信可能なチャンネル数Ｂを、他のアンテナによって受信可能なチャンネル数Ａと比較表示することにより、通常であれば他のアンテナよりもスマートアンテナユニット１０の受信状態が良好であることを認識することができる。すなわち、スマートアンテナユニット１０の導入効果を簡単に認識することができる。また、逆にスマートアンテナユニット１０によって受信可能なチャンネル数Ｂが、他のアンテナによって受信可能なチャンネル数Ａ以下である場合には、スマートアンテナユニット１０の設置位置が適正でないことを認識することができる。
【図面の簡単な説明】
【００６０】
【図１】テレビジョン受信システムの外観斜視図である。
【図２】スマートアンテナユニットの回路ブロック図である。
【図３】コントロールユニットの回路ブロック図である。
【図４】指向方向を示す模式図である。
【図５】選局データを示す表である。
【図６】スマートアンテナ設置作業のフローチャートである。
【図７】変形例にかかるテレビジョン受信システムの回路ブロック図である。
【符号の説明】
【００６１】
１０…スマートアンテナユニット
１１…指向性アンテナ
１２…位相器
１３…ブースター回路
１４…合成器
１６ａ…同軸ケーブル
１７…脚部
１８…柱部
１９…アンテナ保持部
２０…コントロールユニット
２１…アンテナコントロール部
２２…チューナ部
２３…デジタル再生部
２３ｂ…復調回路
２３ｃ…デスクランブル部
２３ｄ…デマルチプレックス部
２３ｅ，２３ｆ…ＤＲＡＭ
２３ｇ…ＭＰＥＧデコーダ
２３ｈ…ＯＳＤ処理部
２４…アナログ再生部
２４ｂ…復調回路
２４ｂ１…ＡＧＣ回路
２４ｂ２…同期分離回路
２４ｄ…ＮＴＳＣデコーダ
２４ｅ…音声デコーダ
２６…映像出力部
２７…音声出力部
２８ａ…ＣＰＵ
２８ｂ…ＲＡＭ
２８ｃ…ＲＯＭ
２８ｄ…ＥＥＰＲＯＭ
２８ｄ１…選局データ
２８ｄ２…ＯＳＤデータ
２８ｄ３…放送局データ
２８ｄ４…住所データ
２９…バス
３０…テレビジョン
４０…リモコン送信機
【図１】
2005354616.tif 000003
【図２】
2005354616.tif 000004
【図３】
2005354616.tif 000005
【図４】
2005354616.tif 000006
【図５】
2005354616.tif 000007
【図６】
2005354616.tif 000008
【図７】
2005354616.tif 000009